【手続補正書】
【提出日】平成21年2月27日(2009.2.27)
【手続補正１】
【補正対象書類名】明細書
【補正対象項目名】発明の名称
【補正方法】変更
【補正の内容】
【発明の名称】求貨求車システム及びそのサーバとその制御方法とそのプログラム
【手続補正２】
【補正対象書類名】明細書
【補正対象項目名】特許請求の範囲
【補正方法】変更
【補正の内容】
【特許請求の範囲】
【請求項１】
荷主の端末と車主の端末と、前記車主より通知された空車情報を記憶する空車データベースを具備するサーバとを通信回線を介して接続した求貨求車システムであって、
前記サーバが、荷主の端末及び前記車主の端末からそれぞれ契約の申込み及び契約の受諾を受信することにより前記荷主と前記車主との間で片道の運送契約が成立した後で、当該運送契約による行き便の降地と降日と荷降しの予定時刻とを含む荷物情報を用いて前記行き便の降地を積地とし、かつ前記行き便の荷降ろしの予定時刻以降を荷受可能時間とする戻り便の空車情報を生成する生成手段と、
前記生成手段で生成した前記空車情報を前記空車データベースに登録する登録手段と、
を有することを特徴とする求貨求車システム。
【請求項２】
前記生成手段は、前記行き便の積地又は前記行き便の車両の登録地を前記戻り便の降地とする空車情報を生成することを特徴とする請求項１に記載の求貨求車システム。
【請求項３】
前記生成手段で生成された前記戻り便の空車情報を用いて前記戻り便の空車情報に適合する荷物情報を検索する検索手段を更に有することを特徴とする請求項１又は２に記載の求貨求車システム。
【請求項４】
荷主の端末と車主の端末と、前記車主より通知された空車情報を記憶する空車データベースを具備するサーバとを通信回線を介して接続した求貨求車システムのサーバであって、
前記サーバが、前記荷主の端末及び前記車主の端末からそれぞれ契約の申込み及び契約の受諾を受信することにより前記荷主と前記車主との間で片道の運送契約が成立した後で、当該運送契約による行き便の降地と降日と荷降しの予定時刻とを含む荷物情報を用いて前記行き便の降地を積地とし、かつ前記行き便の荷降しの予定時刻以降を荷受可能時間とする戻り便の空車情報を生成する生成手段と、
前記生成手段で生成した前記空車情報を前記空車データベースに登録する登録手段と、
を有することを特徴とするサーバ。
【請求項５】
前記生成手段は、前記行き便の積地又は前記行き便の車両の登録地を前記戻り便の降地とする空車情報を生成することを特徴とする請求項４に記載のサーバ。
【請求項６】
前記生成手段で生成された前記戻り便の空車情報を用いて前記戻り便の空車情報に適合する荷物情報を荷物情報データベースから検索する検索手段を更に有することを特徴とする請求項４又は５に記載のサーバ。
【請求項７】
前記検索手段は、前記行き便の降地を前記戻り便の積地とし、前記行き便の降地又は車両の登録地を前記戻り便の降地として荷物情報を検索することを特徴とする請求項６に記載のサーバ。
【請求項８】
前記検索手段は、前記行き便の降地を含む地域を前記戻り便の積地とし、前記行き便の積地を含む地域を前記戻り便の降地として荷物情報を検索することを特徴とする請求項６に記載のサーバ。
【請求項９】
前記検索手段は、前記行き便の経路中の地点を前記戻り便の積地及び降地として荷物情報を検索することを特徴とする請求項６に記載のサーバ。
【請求項１０】
前記検索手段は、前記行き便の経路中以外の地点であっても、戻りの走行距離が最短戻り距離の所定倍以下となる前記戻り便の積地及び降地を含めて荷物情報を検索することを特徴とする請求項６に記載のサーバ。
【請求項１１】
前記検索手段は、前記行き便の降地を前記戻り便の積地とし、前記行き便の車両の登録地又は前記行き便の積地を前記戻り便の降地として荷物情報を検索する第一の検索を実行し、
前記第一の検索で該当する荷物情報がない場合に、前記行き便の降地を含む地域を前記戻り便の積地とし、前記行き便の積地を含む地域を前記戻り便の降地として荷物情報を検索する第二の検索を更に実行し、
前記第二の検索で該当する荷物情報がない場合に、前記行き便の経路中の地点を前記戻り便の積地及び降地として荷物情報を検索する第三の検索を更に実行することを特徴とする請求項６に記載のサーバ。
【請求項１２】
前記第三の検索で該当する荷物情報がない場合に、前記行き便の経路中以外の地点であっても、戻りの走行距離が最短戻り距離の所定倍以下となる前記戻り便の積地及び降地を含めて荷物情報を検索する第四の検索を更に実行することを特徴とする請求項１１に記載のサーバ。
【請求項１３】
荷主の端末と車主の端末と、前記車主より通知された空車情報を記憶する空車データベースを具備するサーバとを通信回線を介して接続した求貨求車システムにおけるサーバの制御方法であって、
前記サーバが、前記荷主の端末及び前記車主の端末からそれぞれ契約の申込み及び契約の受諾を受信することにより前記荷主と前記車主との間で片道の運送契約が成立した後で、当該運送契約による行き便の降地と降日と荷降しの予定時刻とを含む荷物情報を用いて前記行き便の降地を積地とし、かつ前記行き便の荷降しの予定時刻以降を荷受可能時間とする戻り便の空車情報を生成する生成工程と、
前記生成された戻り便の空車情報を前記空車データベースに登録する登録工程と、
を有することを特徴とする求貨求車システムにおけるサーバの制御方法。
【請求項１４】
荷主の端末と車主の端末と、前記車主より通知された空車情報を記憶する空車データベースを具備するサーバとを通信回線を介して接続した求貨求車システムのサーバの制御プログラムであって、
前記サーバを、
前記サーバが前記荷主の端末及び前記車主の端末からそれぞれ契約の申込み及び契約の受諾を受信することにより前記荷主と前記車主との間で片道の運送契約が成立した後で、当該運送契約による行き便の降地と降日と荷降しの予定時刻とを含む荷物情報を用いて前記行き便の降地を積地とし、かつ前記行き便の荷降しの予定時刻以降を荷受可能時間とする戻り便の空車情報を生成する生成手段と、
前記生成した空車情報を前記空車データベースに登録する登録手段とを有するサーバとして機能させるための制御プログラム。
【手続補正３】
【補正対象書類名】明細書
【補正対象項目名】０００１
【補正方法】変更
【補正の内容】
【０００１】
【発明の属する技術分野】
本発明は、荷主からの荷物情報に基づいて車主である運送会社などに求車情報を提供する求貨求車システムに関し、特にこの求貨求車システム及びそのサーバ及びこのシステムにおけるサーバの制御方法及びそのプログラムに関するものである。
【手続補正４】
【補正対象書類名】明細書
【補正対象項目名】０００４
【補正方法】変更
【補正の内容】
【０００４】
本発明は上記従来例に鑑みてなされたもので、行き便の契約が成立した後で自動的に戻り便の空車情報を登録できるようにした求貨求車システム及びそのサーバとそのサーバの制御方法とプログラムを提供することを目的とする。
【手続補正５】
【補正対象書類名】明細書
【補正対象項目名】０００５
【補正方法】変更
【補正の内容】
【０００５】
また本発明の目的は、行き便の情報を基に戻り便の空車情報を作成し、それに最適な荷物情報を容易に選択できる求貨求車システム及びそのサーバとそのサーバの制御方法とプログラムを提供することにある。
【手続補正６】
【補正対象書類名】明細書
【補正対象項目名】０００６
【補正方法】変更
【補正の内容】
【０００６】
【課題を解決するための手段】
上記目的を達成するために本発明の求貨求車システムは以下のような構成を備える。即ち、
荷主の端末と車主の端末と、前記車主より通知された空車情報を記憶する空車データベースを具備するサーバとを通信回線を介して接続した求貨求車システムであって、
前記サーバが、荷主の端末及び前記車主の端末からそれぞれ契約の申込み及び契約の受諾を受信することにより前記荷主と前記車主との間で片道の運送契約が成立した後で、当該運送契約による行き便の降地と降日と荷降しの予定時刻とを含む荷物情報を用いて前記行き便の降地を積地とし、かつ前記行き便の荷降ろしの予定時刻以降を荷受可能時間とする戻り便の空車情報を生成する生成手段と、
前記生成手段で生成した前記空車情報を前記空車データベースに登録する登録手段と、を有することを特徴とする。
【手続補正７】
【補正対象書類名】明細書
【補正対象項目名】０００７
【補正方法】変更
【補正の内容】
【０００７】
上記目的を達成するために本発明の求貨求車システムのサーバは以下のような構成を備える。即ち、
荷主の端末と車主の端末と、前記車主より通知された空車情報を記憶する空車データベースを具備するサーバとを通信回線を介して接続した求貨求車システムのサーバであって、
前記サーバが、前記荷主の端末及び前記車主の端末からそれぞれ契約の申込み及び契約の受諾を受信することにより前記荷主と前記車主との間で片道の運送契約が成立した後で、当該運送契約による行き便の降地と降日と荷降しの予定時刻とを含む荷物情報を用いて前記行き便の降地を積地とし、かつ前記行き便の荷降しの予定時刻以降を荷受可能時間とする戻り便の空車情報を生成する生成手段と、
前記生成手段で生成した前記空車情報を前記空車データベースに登録する登録手段と、を有することを特徴とする。
【手続補正８】
【補正対象書類名】明細書
【補正対象項目名】０００８
【補正方法】変更
【補正の内容】
【０００８】
上記目的を達成するために本発明の求貨求車システムにおけるサーバの制御方法は以下のような工程を備える。即ち、
荷主の端末と車主の端末と、前記車主より通知された空車情報を記憶する空車データベースを具備するサーバとを通信回線を介して接続した求貨求車システムにおけるサーバの制御方法であって、
前記サーバが、前記荷主の端末及び前記車主の端末からそれぞれ契約の申込み及び契約の受諾を受信することにより前記荷主と前記車主との間で片道の運送契約が成立した後で、当該運送契約による行き便の降地と降日と荷降しの予定時刻とを含む荷物情報を用いて前記行き便の降地を積地とし、かつ前記行き便の荷降しの予定時刻以降を荷受可能時間とする戻り便の空車情報を生成する生成工程と、
前記生成された戻り便の空車情報を前記空車データベースに登録する登録工程と、を有することを特徴とする。
【手続補正９】
【補正対象書類名】明細書
【補正対象項目名】００６８
【補正方法】変更
【補正の内容】
【００６８】
【発明の効果】
以上説明したように本発明によれば、行き便の契約が成立した後で、行き便の降地と降日と荷降しの予定時刻とを含む荷物情報を用いて自動的に戻り便の空車情報を登録できる。